(57)【要約】【課題】容器を複数重ねても、上側に位置した容器及びその内部の重さによって下側に位置した容器内部の用土に加わる圧力を軽減させる。【解決手段】植物の栽培に用いる植物栽培用容器（例えば植木鉢１０）は、上面が開口し、底壁部に複数の孔（例えば孔１１）が形成され、側壁部（例えば側壁部１２）に、上側から重ねられた他の容器を支持するための支持部（例えば棚部１３）が形成されたことを特徴とする。このような植物栽培用容器を用いることで、容器を複数重ねた場合の上側に位置した容器及びその内部の重さによって下側に位置した容器内部の用土に加わる圧力を軽減させることができる。【選択図】図３
2010154825.tif 000002
【特許請求の範囲】
【請求項１】
植物の栽培に用いる植物栽培用容器であって、
上面が開口し、
底壁部に複数の孔が形成され、
側壁部に、上側から重ねられた他の容器を支持するための支持部が形成された
ことを特徴とする植物栽培用容器。
【請求項２】
前記側壁部は、底壁部から所定の高さまでが厚肉部で、所定の高さから上端までが薄肉部の２段構造であり、
前記支持部は、前記厚肉部と前記薄肉部との厚み差により形成される棚部である
請求項１記載の植物栽培用容器。
【請求項３】
前記棚部には、少なくとも１つの溝が形成され、
前記溝は、前記他の容器が前記棚部により支持されているときに、外部から内部に通じる空隙部となる
請求項２記載の植物栽培用容器。
【請求項４】
植物の栽培方法であって、
栽培対象とする植物の生育段階を２以上の段階に分類し、
上面が開口し、底壁部に複数の孔が形成され、側壁部に、上側から重ねられた他の容器を支持するための支持部が形成された植物栽培用の容器を、複数個用意し、
前記容器の１つに、第１生育段階に応じた肥料を混合した用土を充填し、
前記第１生育段階に応じた肥料が混合された用土が充填された前記容器を第１生育段階用容器として、植物の種若しくは苗を植え付け、
前記種若しくは苗の成長が第２生育段階に至ったときに、
前記容器の１つに、第２生育段階に応じた用土を、前記支持部が他の容器を支持する高さ付近まで充填し、
前記第１生育段階用容器を、前記第２生育段階用の用土が充填された第２生育段階用容器に形成されている支持部により支持させることで、前記第２生育段階用容器の上側に重ね合わせ、
以後、前記栽培対象とする植物の成長に応じて、最下部の容器を、次の生育段階に応じた用土が前記支持部が他の容器を支持する高さ付近まで充填された容器に形成された支持部により支持させて、容器の上側に重ね合わせていくことにより、生育を進行させる
ことを特徴とする植物の栽培方法。
【発明の詳細な説明】
【技術分野】
【０００１】
本発明は、植物の栽培に用いる植物栽培用容器、及び植物栽培用容器を用いた植物の栽培方法に関する。
【背景技術】
【０００２】
従来から、鉢やプランター等の容器を用いた野菜等の栽培方法として、多くの方法が提案されている。本願出願人が先に出願し、登録された栽培方法もその１つである。これは、鉢やプランター等、上面が開口し、下面に連通孔を有する容器を複数個用いるもので、複数の容器の開口部が、それぞれ異なる大きさであり、それらに、栽培対象とする野菜等の生育段階に応じた肥料を混合せしめた用土を詰め、順次重ね合わせながら生育を進行させる栽培方法であり、それなりの良い結果を得ることができた。
【０００３】
【特許文献１】特許第２７４４２１０号公報
【発明の開示】
【発明が解決しようとする課題】
【０００４】
しかしながら、上述した栽培方法では、容器を重ねるほど、下に位置した容器内部の用土に圧力がかかり、根の成長を阻害してしまうという問題があった。
【０００５】
本発明は、上記の問題を解決すべく、容器を複数重ねても、上側に位置した容器及びその内部の重さによって下側に位置した容器内部の用土に加わる圧力を軽減させることができるようにすることを目的とする。
【課題を解決するための手段】
【０００６】
本発明の植物栽培用容器は、植物の栽培に用いる植物栽培用容器であって、上面が開口し、底壁部に複数の孔が形成され、側壁部に、上側から重ねられた他の容器を支持するための支持部が形成されたことを特徴とする。
【０００７】
上記の構成としたことで、容器を複数重ねても、上側に位置した容器及びその内部の重さによって下側に位置した容器内部の用土に加わる圧力を軽減させることができるようになる。
【０００８】
前記側壁部は、底壁部から所定の高さまでが厚肉部で、所定の高さから上端までが薄肉部の２段構造であり、前記支持部は、前記厚肉部と前記薄肉部との厚み差により形成される棚部である構成とされていてもよい。
【０００９】
前記棚部には、少なくとも１つの溝が形成され、前記溝は、前記他の容器が前記棚部により支持されているときに、外部から内部に通じる空隙部となる構成とされていてもよい。  
【００１０】
また、本発明の植物の栽培方法は、植物の栽培方法であって、栽培対象とする植物の生育段階を２以上の段階に分類し、上面が開口し、底壁部に複数の孔が形成され、側壁部に、上側から重ねられた他の容器を支持するための支持部が形成された植物栽培用の容器を、複数個用意し、前記容器の１つに、第１生育段階に応じた肥料を混合した用土を充填し、前記第１生育段階に応じた肥料が混合された用土が充填された前記容器を第１生育段階用容器として、植物の種若しくは苗を植え付け、前記種若しくは苗の成長が第２生育段階に至ったときに、前記容器の１つに、第２生育段階に応じた用土を、前記支持部が他の容器を支持する高さ付近まで充填し、前記第１生育段階用容器を、前記第２生育段階用の用土が充填された第２生育段階用容器に形成されている支持部により支持させることで、前記第２生育段階用容器の上側に重ね合わせ、以後、前記栽培対象とする植物の成長に応じて、最下部の容器を、次の生育段階に応じた用土が前記支持部が他の容器を支持する高さ付近まで充填された容器に形成された支持部により支持させて、容器の上側に重ね合わせていくことにより、生育を進行させることを特徴とする。
【発明の効果】
【００１１】
本発明によれば、容器を複数重ねても、上側に位置した容器及びその内部の重さによって下側に位置した容器内部の用土に加わる圧力を軽減させることができるようになる。
【発明を実施するための最良の形態】
【００１２】
以下、本発明の一実施の形態について図面を参照して説明する。
【００１３】
図１は、本発明の一実施の形態を示す植木鉢１０の断面図である。図１に示すように、植木鉢１０は、底壁部に設けられた複数の孔１１と、底壁部から所定の高さまでが厚肉部で、所定の高さから上端までが薄肉部の２段構造である側壁部１２とを有する。
【００１４】
孔１１は、植木鉢１０が植物の栽培に使用されたときに、植物の根が植木鉢１０の内部から外部へ伸びていけるように形成されている。
【００１５】
側壁部１２は、前記厚肉部と前記薄肉部との厚み差により形成される棚部１３を有する。
【００１６】
次に、植木鉢１０を使用して行う栽培方法を説明する。本実施例においては、植木鉢１０を３個（植木鉢１０Ａ、植木鉢１０Ｂ、植木鉢１０Ｃ）使用する場合を例にして説明を行う。なお、使用する容器の大きさ等は、棚部１３により他の容器を支持できることを条件に選択する。
【００１７】
先ず、栽培対象となる植物の生育段階を、複数の段階に分ける。本例においては、栽培対象として市販のナスの苗Ａ（以下「苗Ａ」とする。）の生育段階を第１から第３生育段階に分類した。なお、苗Ａの根が植木鉢１０Ａ内の用土に十分に着根するまでを「第１生育段階」とし、その後苗Ａの根が植木鉢１０Ｂの内部にまで伸びるまでを「第２生育段階」とし、それ以降を「第３生育段階」とした。なお、ナスは野菜の中でも根が深く生長する種類のものである。
【００１８】
次に、図２に示すように、植木鉢１０Ａに、第１生育段階に適した用土１４ａを充填し、苗Ａを植える。本例において用土１４ａは、赤土、腐葉土、過リン酸石灰を混合したものを使用した。なお、用土１４ａは、棚部１３ａの位置よりも高い位置まで充填されてもよい。なお、苗Ａを最初に植える容器は棚部１３を有さなくてもよい。
【００１９】
用土１４ａの中に苗Ａの根が十分に着根したら、植木鉢１０Ｂの棚部１３ｂより若干高い位置まで第２生育段階に適した用土１４ｂを充填し、植木鉢１０Ａを植木鉢１０Ｂの上側に重ね合わせる。このとき、植木鉢１０Ａの底面を棚部１３ｂに位置合わせすることにより、植木鉢１０Ａを棚部１３ｂにより支持させる。植木鉢１０Ａを棚部１３ｂにより支持させることで、用土１４ｂに過大な圧力がかからないようにすることができる。なお、本例において用土１４ｂは、赤土、腐葉土、堆肥、過リン酸石灰、硫安、硫酸カリを混合したものを使用した。
【００２０】
さらに、苗Ａの根が用土１４ｂにまで達したら、植木鉢１０Ｃの棚部１３ｃより若干高い位置まで第３生育段階に適した用土１４ｃを充填し、植木鉢１０Ｂを植木鉢１０Ｃの上側に重ねあわせる。このとき、植木鉢１０Ｂの底面を棚部１３ｃに位置合わせすることにより、植木鉢１０Ｂ（植木鉢１０Ｂに重ねあわされた植木鉢１０Ａも。）を棚部１３ｂにより支持させる。本例において用土１４ｃは、赤土、腐葉土、堆肥、過リン酸石灰、硫安、硫酸カリを用土１４ｂとは異なる割合で混合したものを使用した。図３に、このときの植木鉢の断面図を示す。図３に示すように、一番下に位置した植木鉢１０Ｃの棚部１３ｃが、重ね合わされた他の植木鉢（１０A、１０B）を支持しているので、用土１４ｃには大きな圧力がかからないようになっている。なお、各植木鉢に充填される用土の上面と植木鉢の底面との間に空間を設ける構造としてもよい。
【００２１】
本発明との比較対象として、図４に示すように、深型１０号鉢（φ＝３０ｃｍ、有効深さ約２３ｃｍ）を３つ重ねた深さを有する鉢１５（φ＝３０ｃｍ、有効深さ約６９ｃｍ）を用いて、上から用土１４ａ、用土１４ｂ、用土１４ｃの順に、本例で用いた量と同じ量の用土を充填した状態で市販のナスの苗Ｂ植えた。本実施例の結果を試験区として、比較対象の結果を対象区として表１に示す。
【００２２】
【表１】
2010154825.tif 000003
【００２３】
以上に説明したように、上述した一実施の形態では、植物の栽培に用いる植物栽培用容器（例えば植木鉢１０）は、上面が開口し、底壁部に複数の孔（例えば孔１１）が形成され、側壁部（例えば側壁部１２）に、上側から重ねられた他の容器を支持するための支持部（例えば棚部１３）が形成されたことを特徴とする構造としているので、容器を複数重ねても、上側に位置した容器及びその内部の重さによって下側に位置した容器内部の用土（例えば用土１４ｂ、用土１４ｃ）に加わる圧力を軽減させることができる。
【００２４】
すなわち、用土が圧縮されることで栽培対象となる植物の根の生育を阻害することを回避でき、その結果従来よりも栽培対象の生育を促すことができる。
【００２５】
また、上述した実施の形態では、側壁部が、底壁部から所定の高さまでが厚肉部で、所定の高さから上端までが薄肉部の２段構造であり、厚肉部と薄肉部により形成される棚部（例えば棚部１３）により他の容器を支持する構造としたので、単純な構造で、容器を重ねたときに、下側に位置した容器内部の用土に加わる圧力が過大になることを防ぐことができる。
【００２６】
また、上述した実施の形態では、植物の栽培方法であって、栽培対象とする植物（例えばナスの苗Ａ）の生育段階を２以上の段階に分類し、上面が開口し、底壁部に複数の孔（例えば孔１１）が形成され、側壁部（例えば側壁部１２）に、上側から重ねられた他の容器を支持するための支持部（例えば棚部１３）が形成された植物栽培用の容器（例えば植木鉢１０）を、複数個用意し（例えば植木鉢１０Ａ〜１０Ｃ）、容器の１つ（例えば植木鉢１０Ａ）に、第１生育段階に応じた肥料を混合した用土（例えば用土１４ａ）を充填し、第１生育段階に応じた肥料が混合された用土が充填された容器を第１生育段階用容器として、植物の種若しくは苗を植え付け、種若しくは苗の成長が第２生育段階に至ったときに、容器の１つ（例えば植木鉢１０Ｂ）に、第２生育段階に応じた用土（例えば用土１４ｂ）を、支持部（例えば棚部１３ｂ）が他の容器を支持する高さ付近（例えば、棚部１３ｂより若干高い位置）まで充填し、第１生育段階用容器を、第２生育段階用の用土が充填された第２生育段階用容器に形成されている支持部により支持させることで、第２生育段階用容器の上側に重ね合わせ、以後、栽培対象とする植物の成長に応じて、最下部の容器（例えば容器１０Ｂ）を、次の生育段階に応じた用土（例えば用土１４ｃ）が支持部（例えば棚部１３ｃ）が他の容器を支持する高さ付近（例えば、棚部１３ｃより若干高い位置）まで充填された容器（例えば容器１０Ｃ）に形成された支持部（例えば棚部１３ｃ）により支持させて、容器（例えば容器１０Ｃ）の上側に重ね合わせていくことにより、生育を進行させることを特徴とする構成としたので、栽培対象の生育段階に合わせた用土を必要なだけ使用することができ、水遣りによる肥料の流亡を抑えることができる。さらに、容器を複数積み重ねても、最下部の容器に充填された用土が過度に圧迫されて栽培対象の生育を阻害することがない。
【００２７】
なお、上述した実施の形態では、第１生育段階用容器以外の容器には、支持部が他の容器を支持する高さより若干高い高さまで用土を充填しているので、下側に位置した容器に充填された用土の上面と、上側に位置した容器の底面とが密着した状態で、下側に位置した容器に形成された支持部により上側に位置した容器が支持されることとなる。
【００２８】
なお、栽培対象となる植物の性質によっては、支持部が他の容器を支持する高さより低い高さまで用土を充填し、下側に位置した容器に充填された用土の上面と、上側に位置した容器の底面との間に隙間ができる状態で、下側に位置した容器に形成された支持部により上側に位置した容器が支持されるようにしてもよい。
【００２９】
なお、上述した実施の形態では特に言及していないが、図５（Ａ）と図５（Ｂ）に示すように、棚部１３ｂに、少なくとも１つの溝１５ｂが形成され、例えば容器１０Ａが棚部１３ｂにより支持されているときに、外部から容器１０Ｂの内部、すなわち用土１４ｂに通じる空隙部となる構造としても良い。上記の構造とすることで、嫌気状態における根ぐされ防止のための根への酸素供給方法を確保できるとともに、他の容器が重ねられた容器に充填された用土へ直接追肥や水遣りを行うことが可能となる。
【産業上の利用可能性】
【００３０】
本発明によれば、容器を複数重ねても、上側に位置した容器及びその内部の重さによって下側に位置した容器内部の用土に加わる圧力を軽減させるのに有用である。
【図面の簡単な説明】
【００３１】
【図１】本発明に係る植物栽培用容器の一実施の形態を示す断面図である。
【図２】図１に栽培用容器に用土を充填し、野菜の苗を植生した状態を示す断面図である。
【図３】本発明の植物の栽培方法の実施の形態を示す断面図である。
【図４】本発明と比較した植物の栽培方法の様子を示す断面図である。
【図５】他の実施の形態を示す断面図である。
【符号の説明】
【００３２】
１０                  植木鉢  
１１                  孔
１２                  側壁部
１３                  棚部
１４                  用土
１５ｂ              溝
【図１】
2010154825.tif 000004
【図２】
2010154825.tif 000005
【図３】
2010154825.tif 000006
【図４】
2010154825.tif 000007
【図５】
2010154825.tif 000008